(57)【要約】  本発明は、上下風向板の結露を抑制する空気調和機の室内機を提供する。  空気調和機の室内機は、吸込口と吹出口とが形成され、背面が室内の壁面に取り付けられる筐体と、筐体内に配置され、吸込口から吹出口までの風路に配置された熱交換器及び送風機と、送風機から前記吹出口に至る吹出風路と、吹出風路に設置され、吹出風路を通過する吹出風の吹出方向を左右に変更する左右風向板と、吹出風の吹出方向を上下に変更する上下風向板と、を備える。上下風向板は、筐体の左右方向において、吹出風路の幅寸法よりも大きく形成され、吹出口を開閉自在に構成され、筐体の前面視において吹出風路と重ならない部分である風向板拡大部を備える。吹出風路は、筐体の背面側に後側風路壁を備える。後側風路壁は、吹出風路内に突出し、筐体の左右方向において吹出風を吹出口の外側に導く誘導板を備える。
2019030824.tif 000002
【特許請求の範囲】
【請求項１】
吸込口と吹出口とが形成され、背面が室内の壁面に取り付けられる筐体と、  前記筐体内に配置され、前記吸込口から前記吹出口までの風路に配置された熱交換器及び送風機と、  前記送風機から前記吹出口に至る吹出風路と、  前記吹出風路に設置され、前記吹出風路を通過する吹出風の吹出方向を左右に変更する左右風向板と、  前記吹出風の吹出方向を上下に変更する上下風向板と、を備え、  前記上下風向板は、  前記筐体の左右方向において、前記吹出風路の幅寸法よりも大きく形成され、前記吹出口を開閉自在に構成され、  前記筐体の前面視において前記吹出風路と重ならない部分である風向板拡大部を備え、  前記吹出風路は、  前記筐体の背面側に後側風路壁を備え、  前記後側風路壁は、  前記吹出風路内に突出し、前記筐体の左右方向において前記吹出風を前記吹出口の外側に導く誘導板を備える、空気調和機の室内機。
【請求項２】
前記吹出風路は、  前記筐体の側面側に風路側壁を備え、  前記吹出口は、  当該吹出口の前記筐体の左右方向の側面を形成する吹出口側壁を備え、  前記吹出口側壁は、  前記筐体の左右方向において、前記風路側壁よりも外側に位置する、請求項１に記載の空気調和機の室内機。
【請求項３】
前記筐体の左右方向において、前記吹出口側壁と前記風路側壁との間の前記吹出口に風路拡大部が形成され、  前記風向板拡大部は、  前記吹出口が閉じられた状態において、前記風路拡大部を閉じる、請求項２に記載の空気調和機の室内機。
【請求項４】
前記左右風向板は、  前記筐体の左右方向に複数並べられた羽根を備え、  前記誘導板の少なくとも一部は、  前記風路側壁に最も近接した前記羽根と前記風路側壁との間に配置されている、請求項２又は３に記載の空気調和機の室内機。
【請求項５】
前記後側風路壁は、  前記吹出風の下流に向かって前記吹出風路が拡大する方向に広がる面を備える、請求項１〜４の何れか１項に記載の空気調和機の室内機。
【請求項６】
前記誘導板は、  上流側端部よりも下流側端部が前記筐体の左右方向の外側に位置する、請求項１〜５の何れか１項に記載の空気調和機の室内機。
【請求項７】
前記誘導板は、  前記後側風路壁側に位置する根元部より先端部が前記筐体の左右方向の外側に位置する、請求項１〜６の何れか１項に記載の空気調和機の室内機。
【請求項８】
前記誘導板は、  前記筐体の左右方向に複数並べられている、請求項１〜７の何れか１項に記載の空気調和機の室内機。
【発明の詳細な説明】
【技術分野】
【０００１】  本発明は、空気調和機の室内機に関し、特に吹出風路の構成に関する。
【背景技術】
【０００２】  従来、空気調和機の室内機は、吸込口から吹出口に至る空気流路に配置された送風ファンと、送風ファンの周囲に配置された熱交換器と、吹出口の近傍に回動可能に支持された風向板等とを備えている。そして、吹出口から吹出される調和空気は、上下方向の向きが上下風向板により変更され、左右方向の向きが左右風向板により変更される。このような空気調和機の室内機において、上下風向板は吹出口を開閉自在に構成されており、左右風向板が配置されている吹出風路に対し上下風向板は幅広に構成されている。そして、上下風向板の吹出風路に対し幅広に構成されている幅広部には、吹出口の左右方向外側に向けて空気を導く２本の突起部が設けられている（例えば、特許文献１参照）。
【先行技術文献】
【特許文献】
【０００３】
【特許文献１】特開２０１３−１１４１３号公報
【発明の概要】
【発明が解決しようとする課題】
【０００４】  特許文献１に記載される空気調和機の室内機では、上下風向板の下側面と吹出風路との間に隙間があり、その隙間にも吹出風が通る。上下風向板の上面側は、左右風向板により吹出風路よりも外側に位置する幅広部にも吹出風が通る。しかし、上下風向板の下面側は、左右風向板と吹出風路の背面側の壁との間を通過する吹出風が通る。そのため、上下風向板の下面側を通る吹出風は、左右風向板の影響を受けず室内機の前面側に向けて直進し、上下風向板の幅広部の下面側は、吹出風が通過しにくい構成になっている。よって、上下風向板の幅広部は、冷房時に上面側は冷却された吹出風が接触し、下面側は温かい室内空気が接触するため、下面側に結露が生じてしまうという課題があった。【０００５】  本発明は、上記のような課題を解決するためになされたもので、上下風向板の結露を抑制する空気調和機の室内機を提供することを目的とする。
【課題を解決するための手段】
【０００６】  本発明に係る空気調和機の室内機は、吸込口と吹出口とが形成され、背面が室内の壁面に取り付けられる筐体と、前記筐体内に配置され、前記吸込口から前記吹出口までの風路に配置された熱交換器及び送風機と、前記送風機から前記吹出口に至る吹出風路と、前記吹出風路に設置され、前記吹出風路を通過する吹出風の吹出方向を左右に変更する左右風向板と、前記吹出風の吹出方向を上下に変更する上下風向板と、を備え、前記上下風向板は、前記筐体の左右方向において、前記吹出風路の幅寸法よりも大きく形成され、前記吹出口を開閉自在に構成され、前記筐体の前面視において前記吹出風路と重ならない部分である風向板拡大部を備え、前記吹出風路は、前記筐体の背面側に後側風路壁を備え、前記後側風路壁は、前記吹出風路内に突出し、前記筐体の左右方向において前記吹出風を前記吹出口の外側に導く誘導板を備える。
【発明の効果】
【０００７】  本発明の空気調和機の室内機によれば、後側風路壁と左右風向板との間を流れる吹出風を吹出口の左右方向外側に導くことにより、上下風向板の風向板拡大部の下側面を吹出風が通過する。そのため、温かい室内空気が風向板拡大部の下側面に触れるのを抑制し、風向板拡大部に生じる結露を抑制することができる。
【図面の簡単な説明】
【０００８】
【図１】本発明の実施の形態１に係る空気調和機の冷媒回路を示す概略図である。
【図２】本発明の実施の形態１に係る空気調和機の室内機の外観を示す斜視図である。
【図３】本発明の実施の形態１に係る空気調和機の室内機の内部構造を示す断面図である。
【図４】本発明の実施の形態１に係る空気調和機の室内機の後側風路壁の吹出口周辺の拡大図である。
【図５】本発明の実施の形態１に係る空気調和機の室内機の模式図である。
【図６】本発明の実施の形態１の空気調和機の室内機の吹出口が開口している方向から見た図である。
【図７】図３の後側風路壁の下流側端部の拡大図である。
【図８】本発明の実施の形態１の空気調和機の室内機の誘導板を正面から見た図である。
【図９】図７の誘導板の断面形状の一例を示す図である。
【図１０】図７の誘導板の断面形状の一例を示す図である。
【発明を実施するための形態】
【０００９】  以下、本発明の実施の形態に係る空気調和機１について図面を参照して説明する。
【００１０】実施の形態１．  図１は、本発明の実施の形態１に係る空気調和機の冷媒回路を示す概略図である。図１に示すように、空気調和機１は、室内機２と、室外機３とを備えている。室内機２は、室内熱交換器４と、送風機５等とを備えている。室外機３は、室外熱交換器６と、室外送風機７と、圧縮機８と、四方切換弁９と、膨張弁１０等とを備えている。そして、室内機２と室外機３は、ガス側接続配管１１および液側接続配管１２により互いに接続され、冷媒回路１３を構成している。
【００１１】  空気調和機１は、四方切換弁９の経路を切り換えることにより、冷房運転と暖房運転とを切り換える。図１には、空気調和機１が冷房運転を行うときの四方切換弁９の経路が示され、実線矢印は冷房運転時の冷媒流れを表している。一方、図１の破線矢印は暖房運転時の冷媒流れを表している。
【００１２】  図２は、本発明の実施の形態１に係る空気調和機の室内機２の外観を示す斜視図である。図３は、本発明の実施の形態１に係る空気調和機の室内機２の内部構造を示す断面図である。室内機２は、筐体２０と、筐体２０内に配置された室内熱交換器４と送風機５とを有し、空調対象空間に設置されている。図２において、室内機２の壁面Ｋ側にある面を背面とし、その対面を前面とし、天井Ｔ側にある面を天面とし、天面の対面を下面とし、図１の右側の側面を右側面とし、右側面の対面を左側面として以下の説明をする。また、室内機２の内部についても同様の説明をする。また風向においては、天面側を上方向、下面側を下方向、前面側を正面方向、背面側を後ろ方向、左側面側を左方向、右側面側を右方向として説明する。
【００１３】  筐体２０は、前面を主に前面パネル２３、左右側面を側面パネル２４、天面を天面パネル２５、背面を背面パネル２６、下面を背面パネル２６および下面パネル２７によって覆われている。図３に示されている様に、前面パネル２３の下部（以下、前面パネル下部２３ａという）は、背面側へ屈曲し、断面が略Ｌ字形状を有している。また、図３に示されている様に、下面パネル２７は、筐体２０の前面側に行くに従い上方に傾斜している。
【００１４】  また、筐体２０は、上部に吸込口２１、下部に吹出口２２を有し、吸込口２１と吹出口２２とをつなぐ風路が筐体２０の内部に形成されている。吸込口２１は、筐体２０の天面パネル２５に設けられた格子状の開口で構成され、吹出口２２は、下面パネル２７から前面パネル２３にかけて形成されている。図２に示されている様に、吹出口２２は、上下風向板５０及び上下補助風向板５１により開閉自在に構成されている。例えば、空気調和機が運転停止時においては、図２に示される様に吹出口２２が閉じられる。
【００１５】  室内熱交換器４は、吸込口２１から吹出口２２に至る風路に配置され、冷媒回路１３を循環する冷媒と吸込口２１から吸込まれた室内空気との間で熱交換を行う。送風機５は、空気を吸込口２１から取り込み、周囲に配置された室内熱交換器４を通過させて吹出口２２から吹出させる。送風機５は、例えばクロスフローファン等で構成され、図示しないモータ等により駆動される。また、室内熱交換器４の風路の上流には、空気中の塵埃を除去するフィルター２９が設置され、室内熱交換器４の下方には、室内熱交換器４からのドレン水を回収するドレンパン３０が配置されている。なお、図３中に示されている矢印は、空気調和機の室内機２の空気の流れを示している。
【００１６】  送風機５から吹出口２２に至る風路は、送風機５から送り出される室内熱交換器４で調和された空気が通過する吹出風路４０となっている。吹出風路４０は、筐体２０の前面側に前側風路壁３１と、筐体２０の背面側に後側風路壁３２と、を備える。前側風路壁３１は、送風機５の下方から筐体２０の前面側に向かって延び、後側風路壁３２は、送風機５の背面側から筐体２０の下面に向かって延びている。  
【００１７】  図３に示される様に、室内機２は、室内熱交換器４で調和された室内空気（以下、調和空気と称す）の吹出し方向を調整する風向調整機構を備えている。図３に示される様に、風向調整機構は、例えば、上下風向板５０と、上下補助風向板５１と、左右風向板４３等とで構成される。
【００１８】  上下風向板５０および上下補助風向板５１は、吹出口２２の長手方向、すなわち筐体２０の左右方向に沿って伸びており、吹出口２２から吹出される調和空気の上下方向の風向を変更するとともに、吹出口２２の開閉を行うものである。上下風向板５０は、吹出口２２において、図示しない上下風向板支持部材により、上下風向板回転軸の回りを回動可能に支持されている。上下補助風向板５１もまた、吹出口２２において、図示しない上下補助風向支持部材により、上下補助風向板回転軸の回りを回動可能に支持されている。上下風向板５０および上下補助風向板５１は、図示しないモータ等により駆動され、モータは図示しない制御装置により駆動が制御されている。また上下風向板５０および上下補助風向板５１は、それぞれ、吹出口２２を閉じたときには、室内機２の意匠面の一部を構成する。
【００１９】  左右風向板４３は、長手方向（左右方向）に配列した複数の羽根４４で構成され、吹出口２２から吹出される調和空気の左右方向の風向を変更するものである。複数の羽根４４は、吹出風路４０の前側風路壁３１にそれぞれ左右回動自在に設置され、連結棒で互いに連結されている。左右風向板４３は、図示しないモータ等により駆動され、モータは図示しない制御装置により駆動が制御されている。
【００２０】  次に、空気調和機１が運転中であるときの室内機２内における空気の流れについて説明する。送風機５により吸込口２１から吸いこまれた室内空気は、フィルター２９によって塵埃が除去され、室内熱交換器４に送られる。室内熱交換器４に送られた空気は、室内熱交換器４を通過する際に冷媒との間で熱交換され、冷房運転時には冷やされ、暖房運転時には温められて調和空気となり、送風機５に到達する。調和空気は、送風機５の内部、もしくは送風機５と後側風路壁３２との隙間を通過し、風向調整機構により吹出し方向が調整され、吹出口２２から空調対象空間に吹出される。
【００２１】  送風機５から吹出口２２に至る吹出風路４０は、左右風向板４３が設置されているため、ここで吹出風は筐体２０の左右方向に風向が変更される。そして、吹出風は、上下補助風向板５１の上面と前側風路壁３１とにより形成される第１風路６１と、上下補助風向板５１の下面と上下風向板５０の上面とにより形成される第２風路６２と、上下風向板５０の下面と後側風路壁３２の端部とにより形成される第３風路と、に分かれて吹き出す。第１風路６１、第２風路６２、及び第３風路６３から吹き出す吹出風の方向は、上下補助風向板５１及び上下風向板５０の角度により上下方向に変更される。
【００２２】  図４は、本発明の実施の形態１に係る空気調和機の室内機２の後側風路壁３２の吹出口２２周辺の拡大図である。後側風路壁３２は、吹出風の下流側の端部が吹出風路４０を拡大するような曲面で形成されている。換言すると、後側風路壁３２は、吹出口２２に近づくに従い背面側に曲げられている。すなわち、後側風路壁３２の下流側の端部は、ディフュザー風路３４となっており、ディフュザー風路３４上を流れる吹出風は、速度エネルギーが変換され、速度が低下し圧力が高くなる。
【００２３】  図５は、実施の形態１に係る空気調和機の室内機２の模式図である。吹出口２２は、吹出風路４０に対し筐体２０の左右方向に対し広くなっている。実施の形態１に係る空気調和機の室内機２においては、筐体２０に向かって右側の側面の内部に機械室８０が設けられている。機械室８０には、電気部品、送風機５を駆動するモータ、風向調整機構を駆動するモータ等が内蔵されている。よって、送風機５及び吹出風路４０は、筐体２０の向かって左側に偏って配置されている。しかし、上下風向板５０は、吹出口２２を閉じたときの外観が筐体２０の左右方向において対称形状になるように形成されている。そのため、吹出風路４０は、吹出口２２の近傍で外側に広がっており、吹出風路４０の筐体２０の側面側の面を形成している風路側壁３６ａは、吹出口２２に至る前に段差が形成され、風路側壁３６ａより筐体２０の側面側に吹出口側壁３８が設けられている。風路側壁３６ａと吹出口側壁３８との間は、風路拡大部６４となっている。なお、実施の形態１においては、吹出風路４０の左側は、風路側壁３６ｂが吹出口２２まで続いている。図２に示される様に、風路拡大部６４は、上下風向板５０が吹出口２２を閉じた際には上下風向板５０に覆われる。そのため、空気調和機の室内機２は、運転停止時には外観が左右対称になり、意匠性が向上している。
【００２４】  上下風向板５０は、筐体２０の左右方向において幅の広い幅広部５０ｄと、吹出口２２に収まる幅に形成されている幅狭部５０ｃと、を備える。図５に示される様に、室内機２の向かって右側の吹出風が筐体２０の左右方向外側に向かう方向に吹き出される場合、上下風向板５０の上面においては、左右風向板４３により方向を変更された吹出風が通過する。しかし、図３に示される様に、第３風路６３は、左右風向板４３の羽根４４の先端４４ａと後側風路壁３２との間を通る吹出風が通過するため、左右風向板４３の影響を受けず、筐体２０の正面に向かって直進する直進気流が通過することになる。すると、上下風向板５０の下面は、吹出風が流れない又は吹出風が流れる量が少ない部分がある。特に、図５において斜線で示されている、吹出風路４０の左右方向の幅からはみ出した上下風向板５０の風向板拡大部５４は、上面側は吹出風が通過するが、下面側は吹出風が通過しにくい。このような場合、風向板拡大部５４の上面側は、冷却された吹出風により冷却され、風向板拡大部５４の下面側は、温かい室内の空気が触れるため結露が生じやすい。
【００２５】  図６は、本発明の実施の形態１の空気調和機の室内機２の吹出口２２が開口している方向から見た図である。図７は、図３の後側風路壁３２の下流側端部の拡大図である。図８は、本発明の実施の形態１の空気調和機の室内機２の誘導板３５を正面から見た図である。吹出風路４０の後側風路壁３２には、吹出風路４０内に突出する誘導板３５が設けられている。誘導板３５は、後側風路壁３２の下流側の端部であるディフュザー風路３４上に設置されている。誘導板３５は、ディフュザー風路３４に沿って流れる吹出風を、筐体２０の左右方向外側に導く様に設けられている。具体的には、誘導板３５の下流側端部３５ａが上流側端部３５ｂよりも筐体２０の左右方向において外側に位置している。また、誘導板３５の少なくとも一部は、風路側壁３６ａに最も近接した左右風向板４３の羽根４４と風路側壁３６ａとの間に位置している。
【００２６】  このように構成されることにより、左右風向板４３の羽根４４の先端４４ａと後側風路壁３２との間を流れる吹出風のうち誘導板３５に当たる吹出風は、吹出風路４０から筐体２０の左右方向の外側に向かって導かれる。そのため、上下風向板５０の風向板拡大部５４の下面側にも冷却された吹出風が流れるので、風向板拡大部５４は、上下面とも吹出風が流れ、結露の発生を抑制することができる。
【００２７】  また、ディフュザー風路３４において吹出風は、速度エネルギーが静圧に変換されるため、吹出風の速度が低下し、吹出風が誘導板３５に当ったときの動圧損失を小さくすることができる。吹出風の動圧損失は、速度の２乗に比例して増加するため、誘導板３５は、吹出風の速度が少しでも低い位置に設けるのが望ましい。動圧損失を低下させることにより、ひいては送風機５の運転効率の低下を抑制することができる。
【００２８】  図９及び図１０は、図７の誘導板３５の断面形状の一例を示す図である。図９及び図１０は、誘導板３５に沿う吹出風の流れに対し垂直な断面を示している。図９に示されている様に、誘導板３５はディフュザー風路３４の面から垂直方向に向かって立設されていても良い。また、図１０に示される様に、誘導板３５は、誘導板根元部３５ｃに対し誘導板先端部３５ｄが筐体２０の左右方向外側に位置しても良い。このように構成されることにより、後側風路壁３２に沿って流れる吹出風が誘導板３５に衝突した際に誘導板３５を飛び越えるのを抑制することができる。従って、吹出風を吹出風路４０の左右方向外側に多く誘導できる。
【００２９】  また、実施の形態１においては、誘導板３５は、筐体２０の左右方向に２つ並べられているが、さらに多くの誘導板３５を並べて設置しても良いし、１つの誘導板３５を設置しても良い。ただし、筐体２０の左右方向において所定の範囲の吹出風を誘導する場合、誘導板３５を１つのみ設置した構成と誘導板３５を２つ設置した構成を比較すると、誘導板３５を１つのみ設置した構成は、誘導板３５を２つ設置した構成と比較して誘導板３５を吹出風路４０の上流側に伸ばす必要がある。すると、誘導板３５をディフュザー風路３４外に伸ばして設けることになり、吹出風路４０の上流側で吹出風が誘導板３５に衝突することにより動圧損失が増大し、送風機５の運転効率も低下することになる。従って、誘導板３５は、ディフュザー風路３４により吹出風の速度が低下した下流側に複数設置されることが望ましく、複数設置されることで動圧損失を少なくしつつ広い範囲の吹出風の方向を変更することができる。
【００３０】  （実施の形態１の効果）  （１）実施の形態１に係る空気調和機の室内機２によれば、吸込口２１と吹出口２２とが形成され、背面が室内の壁面Ｋに取り付けられる筐体２０と、筐体２０内に配置され、吸込口２１から吹出口２２までの風路に配置された室内熱交換器４及び送風機５と、送風機から吹出口２２に至る吹出風路４０と、吹出風路４０に設置され、吹出風路４０を通過する吹出風の吹出方向を左右に変更する左右風向板４３と、吹出風の吹出方向を上下に変更する上下風向板５０と、を備える。上下風向板５０は、筐体２０の左右方向において、吹出風路４０の幅寸法よりも大きく形成され、吹出口２２を開閉自在に構成され、筐体２０の前面視において吹出風路４０と重ならない部分である風向板拡大部５４を備える。吹出風路４０は、筐体２０の背面側に後側風路壁３２と、筐体２０の側面側に風路側壁３６ａ、３６ｂと、を備える。後側風路壁３２は、吹出風路４０内に突出し、筐体２０の左右方向において吹出風を吹出口２２の外側に導く誘導板３５を備える。  このように構成されることにより、上下風向板５０の風向板拡大部５４の上下面の両方に冷却風が流れるため、下面に温かい室内空気が触れにくくなり、結露の発生を抑制できる。
【００３１】  （２）実施の形態１に係る空気調和機の室内機２によれば、吹出風路４０は、筐体２０の側面側に風路側壁３６ａ、３６ｂを備える。吹出口２２は、吹出口２２の筐体２０左右方向の側面を形成する吹出口側壁３８を備える。吹出口側壁３８は、筐体２０の左右方向において、風路側壁３６ａよりも外側に位置する。  （３）実施の形態１に係る空気調和機の室内機２によれば、筐体２０の左右方向において、吹出口側壁３８と風路側壁３６ａとの間の吹出口２２に風路拡大部６４が形成されている。風向板拡大部５４は、吹出口２２が閉じられた状態において、風路拡大部６４を閉じる。  このように構成されることにより、上記（１）の効果を得つつ、筐体２０の内部に機械室となるスペースを確保しつつ、筐体２０の外観に対し左右対称に吹出口２２を設けることができる。また、吹出口２２を筐体２０の左右方向に大きく設けることができるため、吹出風の方向も左右に広い範囲に変更することが可能となる。
【００３２】  （４）実施の形態１に係る空気調和機の室内機２によれば、左右風向板４３は、筐体２０の左右方向に複数並べられた羽根４４を備える。誘導板３５の少なくとも一部は、風路側壁３６ａに最も近接した羽根４４と風路側壁３６ａとの間に配置されている。  このように構成されることにより、吹出風路４０の後側風路壁３２に沿って流れる吹出風のうち、風路側壁３６ａ側に流れる吹出風を風向板拡大部５４に効率的に導くことができる。
【００３３】  （５）実施の形態１に係る空気調和機の室内機２によれば、後側風路壁３２は、吹出風の下流に向かって吹出風路４０が拡大する方向に広がる面を備える。  このように構成されることにより、後側風路壁３２に沿って流れる吹出風は、速度エネルギーが静圧に変換される。吹出風は速度が遅くなるため、誘導板３５に衝突したときの動圧損失を抑制することができる。ひいては、送風機５の運転効率を向上させることができる。
【００３４】  （６）実施の形態１に係る空気調和機の室内機２によれば、誘導板３５は、上流側端部３５ｂよりも下流側端部３５ａが筐体２０の左右方向の外側に位置する。  このように構成されることにより、吹出風路４０の後側風路壁３２に沿って流れる吹出風のうち、風路側壁３６ａ側に流れる吹出風を風向板拡大部５４に効率的に導くことができる。
【００３５】  （７）実施の形態１に係る空気調和機の室内機２によれば、誘導板３５は、後側風路壁３２側に位置する根元部３５ｃより先端部３５ｄが筐体２０の左右方向の外側に位置する。  このように構成されることにより、後側風路壁３２に沿って流れる吹出風は、誘導板３５を乗り越えて流れるのを抑制されるため、より効率的に吹出風を風向板拡大部５４に導くことができる。
【００３６】  （８）実施の形態１に係る空気調和機の室内機２によれば、誘導板３５は、筐体２０の左右方向に複数並べられている。  このように構成されることにより、誘導板３５を、後側風路壁３２の下流側の端部に設けるだけでより広い範囲の吹出風を風向板拡大部５４に導くことができる。誘導板３５を吹出風路４０内の上流側に設ける必要がなく、特にディフュザー風路３４が設けられている部分に設けられた誘導板３５により吹出風の方向を変えることができるため、吹出風の動圧損失を抑えることができ、ひいては、送風機５の運転効率を向上させることができる。
【符号の説明】
【００３７】  １  空気調和機、２  室内機、３  室外機、４  室内熱交換器、５  送風機、６  室外熱交換器、７  室外送風機、８  圧縮機、９  四方切換弁、１０  膨張弁、１１  ガス側接続配管、１２  液側接続配管、１３  冷媒回路、２０  筐体、２１  吸込口、２２  吹出口、２３  前面パネル、２３ａ  前面パネル下部、２４  側面パネル、２５  天面パネル、２６  背面パネル、２７  下面パネル、２９  フィルター、３０  ドレンパン、３１  前側風路壁、３２  後側風路壁、３４  ディフュザー風路、３５  誘導板、３５ａ  下流側端部、３５ｂ  上流側端部、３５ｃ  （誘導板）根元部、３５ｄ  （誘導板）先端部、３６ａ  風路側壁、３６ｂ  風路側壁、３８  吹出口側壁、４０  吹出風路、４３  左右風向板、４４  羽根、４４ａ  先端、５０  上下風向板、５０ｃ  幅狭部、５０ｄ  幅広部、５１  上下補助風向板、５４  風向板拡大部、６１  第１風路、６２  第２風路、６３  第３風路、６４  風路拡大部、８０  機械室、Ｋ  壁面、Ｔ  天井、ｋ  壁面。
【図１】
2019030824.tif 000003
【図２】
2019030824.tif 000004
【図３】
2019030824.tif 000005
【図４】
2019030824.tif 000006
【図５】
2019030824.tif 000007
【図６】
2019030824.tif 000008
【図７】
2019030824.tif 000009
【図８】
2019030824.tif 000010
【図９】
2019030824.tif 000011
【図１０】
2019030824.tif 000012
【手続補正書】
【提出日】令和1年10月21日(2019.10.21)
【手続補正１】
【補正対象書類名】明細書
【補正対象項目名】０００６
【補正方法】変更
【補正の内容】
【０００６】
本発明に係る空気調和機の室内機は、吸込口と吹出口とが形成され、背面が室内の壁面に取り付けられる筐体と、前記筐体内に配置され、前記吸込口から前記吹出口までの風路に配置された熱交換器及び送風機と、前記送風機から前記吹出口に至る吹出風路と、前記吹出風路に設置され、前記吹出風路を通過する吹出風の吹出方向を左右に変更する左右風向板と、前記吹出風の吹出方向を上下に変更する上下風向板と、を備え、前記上下風向板は、前記筐体の左右方向において、前記吹出風路の幅寸法よりも大きく形成され、前記吹出口を開閉自在に構成され、前記筐体の前面視において前記吹出風路と重ならない部分である風向板拡大部を備え、前記吹出風路は、前記筐体の背面側に後側風路壁を備え、前記後側風路壁は、前記吹出風の下流側の端部が前記吹出風の下流に向かって前記吹出風路が拡大する方向に広がる曲面で形成されるディフューザ風路となっており、前記吹出風路内に突出し、前記筐体の左右方向において前記吹出風を前記吹出口の外側に導く誘導板を備え、前記誘導板は、前記ディフューザ風路上に設置されている。
【手続補正２】
【補正対象書類名】特許請求の範囲
【補正対象項目名】全文
【補正方法】変更
【補正の内容】
【特許請求の範囲】
【請求項１】
吸込口と吹出口とが形成され、背面が室内の壁面に取り付けられる筐体と、
前記筐体内に配置され、前記吸込口から前記吹出口までの風路に配置された熱交換器及び送風機と、
前記送風機から前記吹出口に至る吹出風路と、
前記吹出風路に設置され、前記吹出風路を通過する吹出風の吹出方向を左右に変更する左右風向板と、
前記吹出風の吹出方向を上下に変更する上下風向板と、を備え、
前記上下風向板は、
前記筐体の左右方向において、前記吹出風路の幅寸法よりも大きく形成され、前記吹出口を開閉自在に構成され、
前記筐体の前面視において前記吹出風路と重ならない部分である風向板拡大部を備え、
前記吹出風路は、
前記筐体の背面側に後側風路壁を備え、
前記後側風路壁は、
前記吹出風の下流側の端部が前記吹出風の下流に向かって前記吹出風路が拡大する方向に広がる曲面で形成されるディフューザ風路となっており、
前記吹出風路内に突出し、前記筐体の左右方向において前記吹出風を前記吹出口の外側に導く誘導板を備え、
前記誘導板は、
前記ディフューザ風路上に設置されている、空気調和機の室内機。
【請求項２】
吸込口と吹出口とが形成され、背面が室内の壁面に取り付けられる筐体と、
前記筐体内に配置され、前記吸込口から前記吹出口までの風路に配置された熱交換器及び送風機と、
前記送風機から前記吹出口に至る吹出風路と、
前記吹出風路に設置され、前記吹出風路を通過する吹出風の吹出方向を左右に変更する左右風向板と、
前記吹出風の吹出方向を上下に変更する上下風向板と、を備え、
前記上下風向板は、
前記筐体の左右方向において、前記吹出風路の幅寸法よりも大きく形成され、前記吹出口を開閉自在に構成され、
前記筐体の前面視において前記吹出風路と重ならない部分である風向板拡大部を備え、
前記吹出風路は、
前記筐体の背面側に後側風路壁を備え、
前記後側風路壁は、
前記吹出風路内に突出し、前記筐体の左右方向において前記吹出風を前記吹出口の外側に導く誘導板を備え、
前記誘導板は、
前記後側風路壁側に位置する根元部より先端部が前記筐体の左右方向の外側に位置する、空気調和機の室内機。
【請求項３】
前記後側風路壁は、
前記吹出風の下流側の端部が前記吹出風の下流に向かって前記吹出風路が拡大する方向に広がる曲面で形成されるディフューザ風路となっており、
前記誘導板は、
前記ディフューザ風路上に設置されている、請求項２に記載の空気調和機の室内機。
【請求項４】
前記誘導板は、
前記後側風路壁側に位置する根元部より先端部が前記筐体の左右方向の外側に位置する、請求項１に記載の空気調和機の室内機。
【請求項５】
前記吹出風路は、
前記筐体の側面側に風路側壁を備え、
前記吹出口は、
当該吹出口の前記筐体の左右方向の側面を形成する吹出口側壁を備え、
前記吹出口側壁は、
前記筐体の左右方向において、前記風路側壁よりも外側に位置する、請求項１〜４の何れか１項に記載の空気調和機の室内機。
【請求項６】
前記筐体の左右方向において、前記吹出口側壁と前記風路側壁との間の前記吹出口に風路拡大部が形成され、
前記風向板拡大部は、
前記吹出口が閉じられた状態において、前記風路拡大部を閉じる、請求項５に記載の空気調和機の室内機。
【請求項７】
前記左右風向板は、
前記筐体の左右方向に複数並べられた羽根を備え、
前記誘導板の少なくとも一部は、
前記風路側壁に最も近接した前記羽根と前記風路側壁との間に配置されている、請求項５又は６に記載の空気調和機の室内機。
【請求項８】
前記誘導板は、
上流側端部よりも下流側端部が前記筐体の左右方向の外側に位置する、請求項１〜７の何れか１項に記載の空気調和機の室内機。
【請求項９】
前記誘導板は、
前記筐体の左右方向に複数並べられている、請求項１〜８の何れか１項に記載の空気調和機の室内機。
【国際調査報告】
2019030824.tif 000013
2019030824.tif 000014
2019030824.tif 000015
2019030824.tif 000016